(57)【要約】【課題】ディスプレイ上に表示されている地図外の目標物までの距離と方向をユーザーに簡単に認識させる方法を提供する。【解決手段】ディスプレイ上に表示された地図外にある目標物までの距離と方向とをユーザに認識させるための目標物表示方法であり、その表示方法は、ディスプレイ形状と相似形の枠をディスプレイの画面内に描画し、次にディスプレイ外にある目標物を中心とし前記枠に接する円を描画し、次にディスプレイに表示されている現在地点から前記円に接線を２本の接線を描画し、該接線の挟角の大きさとその方向とから目標物の距離と方向とをユーザに認識させる。  【選択図】    図３
2008065092.tif 000002
【特許請求の範囲】
【請求項１】
ディスプレイ上に表示された地図外にある目標物までの距離と方向とをユーザに認識させるための目標物表示方法であって、
ディスプレイ形状と相似する枠をディスプレイ上に描画し、
目標物を中心として前記枠に接する円を描画し、
ディスプレイ上に表示されている現在地点から前記円に接する２本の接線を描画し、該接線の挟角と方向とから目標物の距離と方向とを認識させることを特徴とする目標物表示方法。
【請求項２】
ディスプレイ上に表示された地図外にある目標物までの距離と方向とをユーザに認識させるための目標物表示方法であって、
ディスプレイ上に表示されている現在地点を中心点とし、第１の円を描画し、
ディスプレイ上に表示されている地図外にある目標物を中心点とし前記第１の円に接する第２の円を描画し、
ディスプレイ上に表示されている前記第２の円弧の大きさから、目標物の距離と方向とを認識させることを特徴とする目標物表示方法。
【請求項３】
ディスプレイ上に表示されている地図内に目標物が表示された場合は、前記第１の円を消去することを特徴とする請求項２に記載の目標物表示方法。
【請求項４】
請求項１から３のいずれかに記載の目標物表示方法を備えた表示装置。 
【発明の詳細な説明】
【技術分野】
【０００１】
この発明は、表示画面サイズの小さいディスプレイの表示画面外にある目標物までの距離と方向とを、ユーザーが簡便に認識できるようにするための目標物表示方法及びその装置に関する。
【背景技術】
【０００２】
画面サイズに制限のある小型携帯端末装置等のディスプレイでは、ユーザーが地図の詳細を見るために地図をズームしたり、画面外に隠れている場所を見ようとして地図を動かしたりする必要があるが、これらの操作により目的地や現在地の情報が画面の外に隠れてしまう。
【０００３】
ズームによって見えなくなってしまった位置の確認をするためには、ズームを行う前の状態に戻すことが必要であり、移動によって見えなくなってしまった情報を見るためには移動した画面を元に戻す操作が必要である。ディスプレイの画面サイズが小さいと、このような繰り返しの作業をユーザーは行わなければならない。
【０００４】
従来、この問題を解決するために、画面外の地図情報を擬似的に画面の中に視覚化する方法として、Halo法が用いられている。このHalo法では、画面外の目標物を中心とした円弧を画面の中に描画することによって画面外の目標物までの地図上の位置と方向を表示している。
【０００５】
しかし、Halo法で画面の四隅に表示される弧は、表示領域が小さく弧が短くなるため、方向の認識が困難である。また、Haloの表示方法では画面領域の枠にそって円弧の描画の領域を確保しているため現在地からの絶対的な距離に関して、直感性が低いという問題ある。
【非特許文献１】Baudisch, P. and Rosenholtz, R. Halo: a Technique for Visualizing Off-Screen Locations, Proceedings of the CHI2003 Conference on Human Factors in Computing Systems, pp. 481-488, 2003.
【発明の開示】
【発明が解決しようとする課題】
【０００６】
そこで、本発明の目的はディスプレイ上に表示されている地図には表示されていない（画面外）目標物までの距離と方向とを、ユーザーが容易に認識できるようにする目標物表示方法を提供することにある。
【課題を解決するための手段】
【０００７】
本発明は、ディスプレイ上に表示された地図外にある目標物までの距離と方向とをユーザーーに認識させるための目標物表示方法であって、ディスプレイ形状と相似する枠をディスプレイ上に描画し、前記目標物を中心として前記枠に接する円を描画し、ディスプレイ上に表示されている現在地点から前記円に接する２本の接線を描画し、該接線の挟角と方向とから目標物の距離と方向とを認識させることを特徴とする。
【０００８】
本発明によれば、ディスプレイ上に表示されている地図にはない目標物までのおおよその距離を接線の挟角（角度）から判断することができる。また、接線の方向により現在地点から目標物までの方向をユーザーは容易に認識することができる。なお、ディスプレイ形状と相似する枠の形状としては、円形、楕円形、矩形等のいずれであってもよい。
【０００９】
また、ディスプレイ形状と相似する枠は、対応する目標物ごとにそれぞれ異なる色や太さに表示することが好ましい。これらにより目的とする目標物を容易に識別することが可能となる。また、地図に重ねて描画するときには、枠を薄くまたは淡く表示しておくことは目標物を認識する上で好適である。さらに枠の大きさに比例して描画する線の太さを変えることによって、目標物までの距離が容易に識別可能となる。
【００１０】
本発明は、ディスプレイ上に表示された地図外にある目標物までの距離と方向とをユーザーーに認識させるための目標物表示方法であって、ディスプレイ上に表示されている現在地点を中心とし、第１の円を描画し、ディスプレイ上に表示された地図の外にある目標物を中心点とし前記第１の円に接する第２の円を描画し、前記第２の円弧の大きさから、目標物の距離と方向とを認識させることを特徴とする。
【００１１】
ディスプレイ上に表示されている地図内に目標物が表示された場合は、前記第１の円を消去することは好適である。
【発明の効果】
【００１２】
本発明によれば、ディスプレイ上に表示された地図外にある目標物までの距離と方向とをユーザーは簡便に判断することができる。
【発明を実施するための最良の形態】
【００１３】
以下、本発明のディスプレイ上に表示されている地図外に位置する目標物までの距離と方向をユーザーが容易に容易に認識させる目標物表示方法について図面を用いて詳細に説明するが、本発明はこれに限定されるものではない。
【００１４】
図１は、小型携帯端末装置１０の概観を示した図である。小型携帯端末装置１０としては、例えば携帯電話、ＰＤＡ等があげられる。小型携帯端末装置１０には表示部１１、表示部１１に表示されている地図を移動させる方向ボタン１２、および現在位置の指定等の情報（後述する入力モードの指定または変更を含む）を入力するための各種ファンクションキー１３がそれぞれ設けられている。
【００１５】
図２は、小型携帯端末装置１０のブロック構成図である。表示部１１、方向ボタン１２、ファンクションキー１３はＣＰＵ（またはマイクロプロセッサ）を含む処理部１９にバス接続されている。処理部１９は小型携帯端末装置１０の全体的な動作の統括、各種処理（文字等の入力処理を含む）の実行を担うものである。処理部１９はさらに、記憶部１５、通信部１６、撮像部１７等が接続されている。
【００１６】
記憶部１５は処理装置１９の実行プログラムを格納するとともに、表示画面に表示すべき地図データ、現在位置の目標物の位置等の座標データ、その他のデータを記憶する。
【００１７】
通信部１６はインターネット、電話回線等のネットワークを介して音声またはデータの交信を行うものである。音声の入力と出力のためにマイクロフォン１６Ａ、スピーカ１６Ｂも設けられている。撮像部１７はＣＣＤ撮像素子を含み、撮像により得られた画像を表わす画像データを出力する。
【００１８】
図３は、表示部１１の画面上に、地図情報に重ねて表示されるディスプレイ形状と相似する枠２０Ｄと接線が描画されたときの様子を示した図である。図３において、ディスプレイ（画面）中央に現在位置を示すアイコン２０Ｂが表示され、画面外の位置に２つの目標物２０Ｃが位置している。画面外の目標物２０Ｃを中心とする円は、ディスプレイ形状（画面）と相似するの枠２０Ｄに接するように描かれている。なお、図３では実際に画面には表示されない画面外の部分もあらわしている。
【００１９】
図４は、図３から枠２０Ｄと画面外の円弧を消去し、画面に実際に表示される画像を示した図である。ユーザーは現在地から目標物までの距離を２つの接線の挟角により推測することができる。また、目標物の方向を接線の方向により判断することができる。
【００２０】
図５は、表示部１１の画面に、現在位置を中心とする円を描画し、この円に接するように画面外に位置する２つの目標物を中心点として円を描画したときに表示される画像を示した図である。
【００２１】
図６は、図５の例における表示画面だけを抜き出した図であり、実際に画面表示される情報である。特に、現在位置を中心とした円を消去したモードを示している。ユーザーは目標物を中心点として描画した円のうち、ディスプレイ上に表示されている円弧の大きさにより、目標物までの距離を容易に推測することができる。また、目標物の方向を容易に判断することができる。
【００２２】
図７は、処理部１９により、上述した描画を行うときの図形処理の手順を示したフローチャートである。
【００２３】
ユーザーによって、ファンクションキー等を用いて地図表示モードが選択されると（ステップ４１）、地図２０Ａが画面１１に表示される（ステップ４２）。ユーザーによって、ファンクションキー等を用いて、枠表示モードが選択される（表示画面の相似形の枠、もしくは現在位置を中心とした円）と（ステップ４３）、現在位置２０Ｂと枠２０Ｅと接線２０Ｆが表示される（ステップ４４）。ユーザーによって方向キー等を用いて地図画像の位置が変更されると（ステップ４５）、地図や現在位置、枠等を再描画する（ステップ４６）。モード変更がない限り（ステップ４７）、上記の操作とそれに応じた処理（動作）が繰返され、地図と関連情報が表示されていく。
【図面の簡単な説明】
【００２４】
【図１】小型携帯端末装置の外観を示した図である。
【図２】小型携帯端末装置の構成の概略を示した図である。
【図３】現在地点から目標までの距離と方向を示す表示画像の考え方の一例を示した図である。
【図４】現在地点から目標までの距離と方向とを示す画像をディスプレイに表示させた場合の一例を示した図である。
【図５】現在地点から目標までの距離と方向を示す表示画像の考え方の他の一例を示した図である。
【図６】現在地点から目標までの距離と方向とを示す画像をディスプレイに表示させた場合の他の一例を示した図である。
【図７】画像表示処理のフローチャートである。
【符号の説明】
【００２５】
１０  小型携帯型端末装置
１１  表示部
１５  記憶部
１９  処理部
２０Ａ  地図
２０Ｂ  現在地点
２０Ｃ  目標物
２０Ｄ  ディスプレイと相似する枠
２０Ｅ  目標物の中心点とした円
２０Ｆ  接線
２０Ｇ  距離と方向を示す画像
【図１】
2008065092.tif 000003
【図２】
2008065092.tif 000004
【図３】
2008065092.tif 000005
【図４】
2008065092.tif 000006
【図５】
2008065092.tif 000007
【図６】
2008065092.tif 000008
【図７】
2008065092.tif 000009